(57)【特許請求の範囲】
【請求項１】
外部インターフェイスコネクタと、
前記外部インターフェイスコネクタを収容すべく互いに接合された第１の筐体及び第２の筐体と、
前記第２の筐体の縁から前記第１の筐体に向かって突出すると共に前記第１の筐体に重なり合う突出部と、
一端が前記第１の筐体及び前記突出部に狭持され、他端が前記外部インターフェイスコネクタを覆う外部インターフェイスコネクタカバーと、
前記外部インターフェイスコネクタカバーの前記一端が前記第１の筐体及び前記突出部に狭持される状態で、前記突出部を前記第１の筐体にネジ止めするビスと
を備え、
前記外部インターフェイスコネクタカバーは前記ビスを覆うことを特徴とする電子機器。
【請求項２】
前記外部インターフェイスコネクタカバーは、前記一端に前記突出部が挿通する開口部を有することを特徴とする請求項１記載の電子機器。
【請求項３】
前記外部インターフェイスコネクタカバーは、前記突出部が当接する平坦部を前記開口部の周辺に有することを特徴とする請求項２に記載の電子機器。
【請求項４】
前記平坦部の両端を支える両端支持部の先端部が略円弧形状であることを特徴とする請求項３に記載の電子機器。
【請求項５】
前記外部インターフェイスコネクタカバーは弾性体から成ることを特徴とする請求項１乃至４のいずれか１項に記載の電子機器。
【請求項６】
前記弾性体はエラストマであることを特徴とする請求項５記載の電子機器。
【発明の詳細な説明】
【技術分野】
【０００１】
本発明は、電子機器に関し、特に、外部インターフェイスコネクタを有するデジタルカメラ、デジタルビデオカメラ、及び携帯用情報端末等の電子機器に関する。
【背景技術】
【０００２】
従来より、デジタルカメラ、デジタルビデオカメラ、及び携帯用情報端末等の電子機器であって、パソコン及び映像表示装置等の外部機器に対して音声信号や映像信号等を入出力するための外部インターフェイスコネクタを備える電子機器が多数ある。
【０００３】
この電子機器は、外部インターフェイスコネクタが使用されていないときには外部インターフェイスコネクタを覆って保護すると共に、外部インターフェイスコネクタが使用されているときには外部インターフェイスコネクタを露出させる開閉自在な外部インターフェイスコネクタカバーを有する（例えば、特許文献１参照）。
【０００４】
図３は、従来の電子機器の構成を概略的に示す斜視図である。
【０００５】
図３において、電子機器３０は、外部機器に対して音声信号や映像信号等を入出力するための外部インターフェイスコネクタ３１と、外部インターフェイスコネクタ３１を収容すべく互いに接合された筐体３３,３４と、外部インターフェイスコネクタ３１を覆う外
部インターフェイスコネクタカバー３２とを備える。
【０００６】
外部インターフェイスコネクタカバー３２は、外部インターフェイスコネクタ３１が使用されていないときには、筐体３３,３４の側面に密着して外部インターフェイスコネク
タ３１を保護し、外部インターフェイスコネクタ３１が使用されているときには、外部インターフェイスコネクタ３１を露出させてジャック等を挿入できるように開閉自在な状態に設置される。
【０００７】
また、外部インターフェイスコネクタカバー３２は、電子機器３０が使用されているときにユーザが電子機器３０から取り外そうとしても容易に外れないように、外部インターフェイスコネクタカバー３２の脚部３２ａが筐体３３,３４により挟持される。
【０００８】
図４は、従来の他の電子機器の構成を概略的に示す断面図である。
【０００９】
図４において、電子機器４０は、外部機器に対して音声信号や映像信号等を入出力するための外部インターフェイスコネクタ４１と、外部インターフェイスコネクタ４１を収容する筐体４３と、外部インターフェイスコネクタ４１を保護する外部インターフェイスコネクタカバー４２とを備える。
【００１０】
外部インターフェイスコネクタカバー４２は、外部インターフェイスコネクタ４１が使用されていないときには、筐体４３に密着して外部インターフェイスコネクタ４１を保護し、外部インターフェイスコネクタ４１が使用されているときには、外部インターフェイスコネクタ４１を露出させてジャック等を挿入できるように開閉自在な状態に設置される。
【００１１】
また、外部インターフェイスコネクタカバー４２は、電子機器４０が使用されているときにユーザが電子機器４０から取り外そうとしても容易に外れずに、組み立て工程等で傷が付いてしまったときに交換するために電子機器４０から取り外す必要性が生じたときに
は取り外すことができるように、筐体４３に形成された孔４３ａに挿入される突起部４２ａが幅漸増部４２ｂ及び段差４２ｃを有する茸形状に形成されている。
【特許文献１】特開平６−９８２１７号公報
【発明の開示】
【発明が解決しようとする課題】
【００１２】
しかしながら、図３の電子機器３０では、外部インターフェイスコネクタカバー３２が電子機器３０から容易に外れないようにするためには脚部３２ａを大きくする必要があり、さらに電子機器３０本体内部に脚部３２ａを収納する大きなスペースが必要となる。また、ユーザによって外部インターフェイスコネクタカバー３２が引っ張られたときに筐体３３,３４に負荷がかかり、筐体の一部３３ａ,３４ａが浮き上がってしまうという問題があった。
【００１３】
また、図４の電子機器４０では、使い勝手の観点から外部インターフェイスコネクタカバー４２の材料として熱可塑性エラストマが用いられているため、外部インターフェイスコネクタカバー４２の電子機器４０からの取り外しをユーザの意図通りにすることが困難であった。
【００１４】
さらに、図４の電子機器４０では、製造過程おいて生じるバラツキ等により、筐体４３に形成された孔４３ａと外部インターフェイスコネクタカバー４２に形成された突起部４２ａとの大小関係のバランスが崩れてしまい、外部インターフェイスコネクタカバー４２が電子機器４０が使用されているときにユーザが電子機器４０から取り外そうとしても容易に外れてしまうという問題や、組み立て工程等において電子機器４０から取り外す必要性が生じたときには取り外すことができないという問題があった。
【００１５】
本発明の目的は、電子機器が使用されているときにユーザが外部インターフェイスコネクタカバーを取り外そうとしても容易に外れずに、外部インターフェイスコネクタカバーを取り外す必要性が生じたときには取り外すことができる電子機器を提供することにある。
【課題を解決するための手段】
【００１６】
上記目的を達成するために、本発明の電子機器は、外部インターフェイスコネクタと、前記外部インターフェイスコネクタを収容すべく互いに接合された第１の筐体及び第２の筐体と、前記第２の筐体の縁から前記第１の筐体に向かって突出すると共に前記第１の筐体に重なり合う突出部と、一端が前記第１の筐体及び前記突出部に狭持され、他端が前記外部インターフェイスコネクタを覆う外部インターフェイスコネクタカバーと、前記外部インターフェイスコネクタカバーの前記一端が前記第１の筐体及び前記突出部に狭持される状態で、前記突出部を前記第１の筐体にネジ止めするビスとを備え、前記外部インターフェイスコネクタカバーは前記ビスを覆うことを特徴とする。
【発明の効果】
【００１７】
以上詳述したように、本発明によれば、外部インターフェイスコネクタカバーの前記一端が前記第１の筐体及び前記突出部に狭持される状態で、前記突出部を前記第１の筐体にネジ止めするので、電子機器が使用されているときにユーザが外部インターフェイスコネクタカバーを電子機器から取り外そうとしても容易に外れずに、外部インターフェイスコネクタカバーを取り外す必要性が生じたときには電子機器から取り外すことができる。
【発明を実施するための最良の形態】
【００１８】
以下、本発明の実施の形態を図面を参照しながら説明する。
【００１９】
図１は、本発明の実施の形態に係る電子機器の構成を概略的に示す斜視図である。
【００２０】
図１において、電子機器１０は、外部機器に対して音声信号や映像信号等を入出力するための外部インターフェイスコネクタ１１と、外部インターフェイスコネクタ１１を収容すべく互いに接合された筐体１３,１４と、筐体１４の縁から筐体１３に向かって突出す
ると共に筐体１３に重なり合うビス締結部１４ａ（突出部）と、一端が筐体１３及びビス締結部１４ａの重なり部分において、筐体１３及びビス締結部１４ａに狭持され、他端が外部インターフェイスコネクタ１１を覆う外部インターフェイスコネクタカバー１２と、外部インターフェイスコネクタカバー１２の一端を共締めすべく筐体１３及びビス締結部１４ａの重なり部分においてビス締結部１４ａを筐体１３におけるネジ受け１６にネジ止めする筐体締結ビス１５とを備える。
【００２１】
外部インターフェイスコネクタカバー１２は、外部インターフェイスコネクタ１１が使用されていないときには、外部インターフェイスコネクタ１１内部にゴミ等が侵入しないように外部インターフェイスコネクタ１１を保護するように覆い、外部インターフェイスコネクタ１１が使用されているときには、外部インターフェイスコネクタ１１を露出させてジャック等を挿入できるように開閉自在な状態に設置される。この外部インターフェイスコネクタカバー１２は熱可塑性エラストマから成る。
【００２２】
図２は、図１の電子機器の構成を概略的に示す斜視図であり、（ａ）は外側から見た場合を示し、（ｂ）は内側から見た場合を示す。
【００２３】
図２（ａ）及び図２（ｂ）において、外部インターフェイスコネクタカバー１２は、一端にビス締結部１４ａが挿通される角穴形状の開口部１２ａを有する。この開口部１２ａにビス締結部１４ａが挿通された状態で筐体締結ビス１５がビス孔１４ｂを介してネジ受け１６に挿入されることにより、外部インターフェイスコネクタカバー１２の一端が筐体１３及びビス締結部１４ａに挟持される。なお、ネジ受け１６に挿入された筐体締結ビス１５は外部インターフェイスコネクタカバー１２により覆われている。
【００２４】
開口部１２ａの長手方向長さＡをビス締結部１４ａの幅Ｂの１．１倍以上とすることにより組み立て作業性を向上することができる。また、この開口部１２ａの周辺に、ビス締結部１４ａが当接する平坦部１２ｂを設けることにより外部インターフェイスコネクタカバー１２の浮上りを確実に規制することができる。更に、この平坦部１２ｂを外観部１２ｅよりも外側に形成することで金型構造も単純化することができる。
【００２５】
また、平坦部１２ｂを支える両端支持部１２ｃの先端部１２ｄを略円弧形状とすることにより、電子機器１０が使用されているときに外部インターフェイスコネクタカバー１２をユーザが引っ張ったときでも、両端支持部１２ｃが筐体１４から乗り上げて通常位置へ戻らなくなるといったトラブルを防止することができる。
【００２６】
本実施の形態によれば、外部インターフェイスコネクタカバー１２の一端が筐体１３及びビス締結部１４ａの重なり部分において筐体１３及びビス締結部１４ａに狭持され、外部インターフェイスコネクタカバー１２の一端を共締めすべく重なり部分においてビス締結部１４ａを筐体１３にネジ止めするので、電子機器１０が使用されているときにユーザが外部インターフェイスコネクタカバー１２を電子機器１０本体から取り外そうとしても容易に外部インターフェイスコネクタカバー１２が電子機器１０本体から外れずに、組み立て工程等で筐体１３，１４や外部インターフェイスコネクタカバー１２に傷が付いたときなど電子機器１０本体から外部インターフェイスコネクタカバー１２を外す必要があっ
たときには筐体１４を外すこと等により容易に電子機器１０本体から外部インターフェイスコネクタカバー１２を外すことができる。
【００２７】
また、本実施の形態によれば、ビス締結部１４ａが開口部１２ａに挿通された状態で筐体締結ビス１５がビス孔１４ｂを介してネジ受け１６に挿入されることにより、筐体１３，１４がネジ止め固定されているので、筐体１３，１４が浮き上がることがない。
【００２８】
また、本実施の形態によれば、ネジ受け１６に挿入された筐体締結ビス１５は外部インターフェイスコネクタカバー１２により覆われているので、ネジ受け１６に挿入された筐体締結ビス１５が外部から見えることがなく、外観品位を高く維持することができる。
【図面の簡単な説明】
【００２９】
【図１】本発明の実施の形態に係る電子機器の構成を概略的に示す斜視図である。
【図２】図１の電子機器の構成を概略的に示す斜視図であり、（ａ）は外側から見た場合を示し、（ｂ）は内側から見た場合を示す。
【図３】従来の電子機器の構成を概略的に示す斜視図である。
【図４】従来の他の電子機器の構成を概略的に示す断面図である。
【符号の説明】
【００３０】
１０  電子機器
１１  外部インターフェイスコネクタ
１２  外部インターフェイスコネクタカバー
１２ａ  開口部
１３  筐体
１４  筐体
１４ａ  ビス締結部
１５  筐体締結ビス
１６  ネジ受け
【図１】
0004667146.tif 000002
【図２】
0004667146.tif 000003
【図３】
0004667146.tif 000004
【図４】
0004667146.tif 000005